(57)【特許請求の範囲】
【請求項１】
多孔質セラミックの外周面に均一なセメント外皮を塗布するための軸方向外皮塗布マニホールドと、
前記多孔質セラミックを前記マニホールド内に通すよう前記多孔質セラミックを制御可能に付勢する動力源と、
を備える外皮塗布装置であって、
前記マニホールドが、
セメントを周方向に流れさせることを可能とするように前記多孔質セラミックの周りに周方向に延在し、第１の位置においてセメントを受容するための入口と、前記セメントを放出するための開口部とを有する湾曲したパイプ、および、
前記パイプに沿って配置された陸部であって、前記開口部において前記セメントを受容するための陸部チャネルを有し、該陸部チャネルが前記開口部から内周陸部開口部まで延び、該陸部開口部に沿ってセメント圧力を平衡化すると共に前記多孔質セラミックの前記外周面に前記セメントを配置する、陸部
を含み、
前記陸部チャネルが、
前記第１の位置に近接した位置における第１の厚さから、前記第１の位置とは離間した第２の位置における前記第１の厚さより大きい第２の厚さへと変化する、変化のある厚さ、および、
前記第１の位置に近接した位置における第１の長さから、前記第１の位置とは離間した第２の位置における前記第１の長さより小さい第２の長さへと変化する、前記開口部から前記陸部開口部までの変化のある長さ
のうち少なくとも一方を有する
ことを特徴とする外皮塗布装置。
【請求項２】
前記陸部チャネルが、前記第１の位置に近接した位置における前記第１の厚さから、前記第１の位置とは離間した第２の位置における前記第１の厚さより大きい第２の厚さへと変化する、変化のある厚さを有する、請求項１記載の外皮塗布装置。
【請求項３】
ユニパイプであって、
前記多孔質セラミックを受容するための開口端、前記外周面上に前記均一な外皮を有する前記多孔質セラミックを放出するための開口端、および、前記多孔質セラミックを受容するための開口端から前記多孔質セラミックを放出するための開口端まで延びる側壁であって、セメントを前記多孔質セラミックの前記外周面に対して押圧するための内面を有する側壁、並びに、
セメントを前記陸部出口から前記内面まで通して前記多孔質セラミックの前記外周面に接触させるための複数の貫通孔、
を有するユニパイプを更に備える、請求項１または２記載の外皮塗布装置。
【請求項４】
多孔質セラミックハニカム物品に外皮を塗布する方法であって、
軸方向外皮塗布マニホールドの周方向に湾曲したパイプの入口に、第１の圧力でセメントを供給する工程と、
前記セメントを、前記周方向のパイプを通して前記入口から該入口とは離れた位置まで周方向に流れさせ、同時に、前記セメントを、パイプの開口部を通して前記パイプの壁に沿っておよび陸部チャネルに沿って前記軸方向外皮塗布マニホールドの内周陸部開口部まで半径方向に流れさせる工程と、
前記多孔質セラミックハニカム物品の外周壁を、周方向にわたり一定な第２の圧力で前記セメントと接触させる工程と、
前記外周壁に均一なセメント外皮を付着させるために、前記多孔質セラミックハニカム物品を前記陸部開口部へと軸方向に引く工程と
を有してなる方法。
【請求項５】
前記セメントを前記陸部チャネルに沿って流れさせる前記工程が、
前記セメントを、前記周方向にわたり連続的に減少する距離を有する前記陸部チャネルを通って連続的に減少する距離を流れさせること、並びに、
前記セメントを、前記周方向にわたり連続的に増加する厚さを有する前記陸部チャネルを通って連続的に増加する厚さを通して流れさせること
のうち少なくとも一方を含む、請求項４記載の方法。
【請求項６】
前記多孔質セラミックハニカム物品の前記外周壁を前記セメントと接触させるために、該セメントを前記陸部開口部からユニパイプの内面内へと複数の孔を通して流れさせる工程と、
前記外周壁に前記均一なセメント外皮を付着させるために、前記多孔質セラミックハニカム物品を前記ユニパイプに通して軸方向に引く工程と
を更に有する、請求項４または５記載の方法。
【発明の詳細な説明】
【優先権の主張】
【０００１】
本願は、合衆国法典第３５巻第１２０条に基づき、２０１３年１１月１９日に出願された米国特許出願第１４／０８３，７２２号による優先権を主張するものであり、その内容に依拠すると共に、その全体を参照して本明細書に組み込む。
【関連出願の相互参照】
【０００２】
本願は、共通の所有者および譲受人を有する同時係属の２０１１年１１月２９日に出願された米国特許出願第６１／５６４，３９５号、２０１２年５月３日に出願された「Apparatus and Method for Skinning Articles（物品に外皮を塗布する装置および方法）」という名称の現在は米国特許出願第１３／４６３，１２５号、２０１３年５月２９日に出願された「Method And System For Control Of An Axial Skinning Apparatus（軸方向外皮塗布装置を制御する方法およびシステム）」という名称の米国特許出願第６１／８２８，３６３号、および、２０１３年１０月１５日に出願された「Process for Axial Skinning Apparatus（軸方向外皮塗布装置のためのプロセス）」という名称の米国特許出願第６１／８９１，１４７号と関連し、その内容に依拠すると共に、その全体を参照して本明細書に組み込むが、それらによる優先権は主張しない。
【技術分野】
【０００３】
本開示の例示的な実施形態は、軸方向外皮塗布装置、軸方向外皮塗布方法、および、外皮を塗布された多孔質セラミックハニカム物品に関する。
【背景技術】
【０００４】
内燃機関からの排気ガスの後処理は、高表面積の基体に担持された触媒、並びに、ディーゼルエンジンおよび一部のガソリン直噴エンジンの場合には、炭素煤粒子を除去するために触媒フィルタを用いる場合がある。これらの用途におけるフィルタおよび触媒担持体は、耐火性があり、耐熱衝撃性があり、ｐＯ２条件下で安定であり、触媒系と反応せず、排気ガスの流れに対して抵抗が低いものであり得る。これらの用途では、多孔質セラミックのフロースルー式ハニカム基体およびワォールフロー式ハニカムフィルタ（本明細書ではまとめてハニカム体として参照される）が用いられ得る。
【０００５】
直径が大きい粒子フィルタおよび基体は、製造中の乾燥および焼成による収縮に起因して、相手先商標製品製造者（ＯＥＭ）およびサプライチェーンによって設定される外形寸法要求に合わせて製造するのは困難であり得る。それ故、セラミックセメントを用いて、所望の寸法に加工または“成形”されたハニカム体の外皮が形成され得る。本明細書で用いられる“ハニカム体”という用語は、ハニカムモノリスと、複数のハニカム部分で形成され例えばセラミックセメントを用いる等して一体に固定されたハニカム体とを包含する。セラミックセメントが混合され、焼成されて成形または区分されたハニカム体に塗布され、湿った外皮が乾燥され得る。本明細書においては、セラミックセメントをハニカム体の外部に塗布する動作またはプロセスを、ハニカム体に“外皮を塗布する”工程として参照する。
【０００６】
背景技術のセクションに開示された上記の情報は、単に本開示の背景の理解を高めるためのものであり、従って、従来技術の一部を構成しない情報または従来技術が当業者に示唆し得るものではない情報を含み得る。
【発明の概要】
【０００７】
本開示の例示的な実施形態は、軸方向外皮塗布装置を提供する。
【０００８】
また、本開示の例示的な実施形態は、多孔質セラミックハニカム物品の軸方向外皮塗布方法も提供する。
【０００９】
また、本開示の例示的な実施形態は、外皮を塗布された多孔質セラミックハニカム物品も提供する。
【００１０】
以下の説明において本開示の更なる特徴を述べると共に、その一部はその説明から自明であり、または、本開示を実施することによって知られ得る。
【００１１】
例示的な実施形態は、外皮を塗布する装置を開示する。外皮を塗布する装置は、多孔質セラミック体がマニホールドを通って軸方向に移動する際に、多孔質セラミック体の外周面に均一なセメント外皮を塗布する（本明細書においては“軸方向外皮塗布”として参照される）ための外皮塗布マニホールドを含む。軸方向外皮塗布マニホールドは、湾曲した適応的パイプであって、セメントを周方向に流れさせるための長さと、長さの第１の位置においてセメントを受容するための入口と、上記長さの内側湾曲部に沿ったセメントを放出するための適応的開口部とを有する適応的パイプを含む。軸方向外皮塗布マニホールドは、適応的パイプの長さの内側湾曲部に沿って配置された陸部であって、適応的開口部においてセメントを受容するための陸部チャネルを有し、この陸部チャネルが適応的開口部から内周陸部開口部まで延び、陸部開口部に沿ってセメント圧力を平衡化すると共に多孔質セラミックの外周面に一定の速度でセメントを配置する、陸部を含む。外皮を塗布する装置は、多孔質セラミックをマニホールド内に通すよう多孔質セラミックを制御可能に付勢するための動力源も含む。
【００１２】
例示的な実施形態は、多孔質セラミックハニカム物品に外皮を塗布する方法も開示する。この方法は、軸方向外皮塗布マニホールドの周方向に湾曲した適応的パイプの入口に、或る圧力でセメントを供給する工程と、セメントを、周方向に湾曲した適応的パイプを通して入口から該入口とは離れた位置まで周方向に流れさせ、同時に、セメントを、適応的パイプの内周壁内の適応的パイプ開口部を通し陸部チャネルに沿って軸方向外皮塗布マニホールドの内周陸部開口部まで半径方向に流れさせる工程と、多孔質セラミックハニカム物品の外周壁を、入口に近接した陸部開口部の第１の位置から入口とは離れた上記位置に近接した陸部開口部の第２の位置まで一定な速度でセメントと接触させる工程とを含む。
【００１３】
例示的な実施形態は、多孔質セラミックハニカム物品に外皮を塗布する上記方法によって外周壁に塗布された外皮を有する多孔質セラミックハニカム物品も開示する。
【００１４】
上記の概要説明および以下の詳細説明は共に例示的で説明的なものであり、本開示の更なる説明を提供することを意図したものであることを理解されたい。
【００１５】
本開示の更なる理解を提供するために含まれ、本明細書に組み込まれてその一部をなす添付の図面は、本開示の例示的な実施形態を示すものであり、記載と共に、本開示の原理を説明する役割を担うものである。
【図面の簡単な説明】
【００１６】
【図１】本開示の例示的な実施形態による軸方向外皮塗布装置の模式図を示す
【図２Ａ】本開示の例示的な実施形態による軸方向外皮塗布装置の側断面図を示す
【図２Ｂ】本開示の例示的な実施形態による軸方向外皮塗布装置の上断面図を示す
【図２Ｃ】本開示の例示的な実施形態による軸方向外皮塗布装置の上断面図を示す
【図２Ｄ】本開示の例示的な実施形態による軸方向外皮塗布装置の上断面図を示す
【図３】比較例による全体的に不均一な外皮厚さを示す
【図４Ａ】本開示の例示的な実施形態による、周方向に湾曲した適応的パイプ、陸部チャネル、陸部チャンバ、基体と接触させるためのユニパイプ貫通孔における、セメントの流れを示す
【図４Ｂ】本開示の例示的な実施形態による、周方向に湾曲した適応的パイプ、陸部チャネル、陸部チャンバ、基体と接触させるためのユニパイプ貫通孔における、セメントの流れを示す
【図５】本開示の例示的な実施形態による外皮塗布装置の軸方向外皮塗布マニホールドおよびユニパイプの上方から見た斜視図を示す
【図６】図５の外皮塗布装置の軸方向外皮塗布マニホールドの上部およびユニパイプの例示的な実施形態の下方から見た斜視図を示す
【図７】図５の外皮塗布装置の特徴の中でも特に、適応的開口部、陸部チャネル、陸部開口部、陸部チャンバ、ユニパイプ貫通孔、およびユニパイプ内面を有する適応的パイプの例示的な実施形態の線ＶＩＩ−ＶＩＩ’に沿った断面斜視図を示す
【図８】図５の外皮塗布装置の特徴の中でも特に、適応的開口部、陸部チャネル、陸部開口部、陸部チャンバ、ユニパイプ貫通孔、ユニパイプ貫通孔、およびユニパイプ内面を有する適応的パイプの例示的な実施形態の線ＶＩＩＩ−ＶＩＩＩ’に沿った断面斜視図を示す
【図９】式ｙ＝ｍｘ−（１−ｎ）を満たすせん断率に対する、外皮用セメントのレオロジー特性の粘度の依存性のグラフを示す
【図１０】本開示の例示的な実施形態による外皮塗布装置の特徴の中でも特に、入口と適応的出口とを有する湾曲した適応的パイプ、および、厚さと長さと陸部出口とを有する陸部チャネルの断面斜視図を示す
【図１１】本開示の例示的な実施形態による外皮塗布装置の特徴の中でも特に、入口と適応的出口とを有する湾曲した適応的パイプ、および、厚さと長さと陸部出口とを有する陸部チャネルの断面斜視図を示す
【図１２】均一なマニホールド陸部長さおよび厚さを有する比較例の、マニホールドの陸部出口における不均一な外皮用セメント速度分布のグラフを示す
【図１３】本開示の例示的な実施形態による、陸部出口における均一な外皮用セメント速度分布を生じる不均一なマニホールド陸部長さのグラフを示す
【図１４】本開示の例示的な実施形態による、材料組成べき乗則パラメータ“ｎ”に基づく、陸部出口における外皮用セメント速度分布を生じる不均一なマニホールド陸部長さのグラフを示す
【図１５】本開示の例示的な実施形態による、陸部厚さ“２Ｂ”に基づく、陸部出口における外皮用セメント速度分布を生じる不均一なマニホールド陸部長さのグラフを示す
【図１６】本開示の例示的な実施形態による、外皮用セメント組成に基づく、適応的部分の半径を変化させた、外皮用セメントの流れの均一性の感度を生じる不均一なマニホールド陸部長さのグラフを示す
【図１７】本開示の例示的な実施形態による、適応的パイプの模式的な断面形状を示す
【発明を実施するための形態】
【００１７】
以下、本開示の複数の例示的な実施形態を示す添付の図面を参照し、本開示をより完全に説明する。しかし、本開示は、多くの異なる形態で具現化され得るものであり、本明細書で述べる例示的な実施形態に限定されるとは解釈されないべきである。むしろ、これらの実施形態は、本開示が完全なものとなるよう提供されるものである、当業者に本開示の範囲を完全に理解させるものである。図面中、層および領域のサイズおよび相対的なサイズは、明確のために誇張され得る。或る要素または層が、別の要素または層“上”にある、それらに“接続されて”いる、または“隣接して”いると言う場合、或る要素または層は、直接別の要素または層上にあるか、それらに直接接続されているか、または直接隣接していてもよく、或いは、それらの間に複数の要素または層が介在していてもよいことが理解されよう。一方、或る要素または層が、“直接”別の要素または層“上”にあるか、それらに“直接接続されて”いるか、または“直接隣接して”いると言う場合には、それらの間に介在する要素または層はない。図面中の類似の参照番号は類似の要素を示す。本開示の目的で、“Ｘ、Ｙ、およびＺのうち少なくとも１つ”とは、Ｘのみ、Ｙのみ、Ｚのみ、またはＸ、Ｙ、およびＺのうち２以上の項目の任意の組合せ（例えば、ＸＹＺ、ＸＹＹ、ＹＺ、ＺＺ）として解釈され得ることが理解されよう。
【００１８】
これらの例示的な実施形態において、本開示の装置またはシステム、および本開示のセラミック部品に外皮を塗布する装置を用いる方法は、例えば後述するものを含む１以上の有利な特徴または態様を提供する。請求項のいずれかに記載されている特徴または態様は、概ね、本開示の全ての面に適用可能である。請求項のいずれか一項に記載されている任意の１または複数の特徴または態様は、他の任意の１または複数の請求項に記載されている他の任意の特徴または態様と組み合わせてもよく、またはそれらと順序を入れ替えてもよい。
【００１９】
“ユニパイプ”とは、例えばハニカム体等の多孔質セラミックを受容するよう構成され、更に、セメント供給源から流動性セメントを受容して、外皮を塗布された部品を製造するためにセメントをユニパイプ内のセラミック部品の表面にもたらすよう構成された、装置の中心構造を指す。説明を容易にするために、例えばハニカム体等の多孔質セラミックを、部品として参照する。受容されるセラミック部品は、外皮を剥されて成形されていてもよく、外皮が上塗りされるベース外皮を含んでもよい。成形されるとは、部品が、例えば研削、切削等によって、特定の寸法および許容誤差に合わせて形状を整えられることを指す。説明を容易にするために、受容される部品は、外皮を剥されているものとする。
【００２０】
“テールパイプ”とは、ユニパイプから出る側の部分、即ち出口部分を指し、そこでは部品に外皮が設けられている。
【００２１】
例えば上部、底部、側方、上側、下側、垂直、および水平、等の用語が用いられるが、本開示はそれらの例示的な実施形態には限定されない。むしろ、空間的に相対的な用語、例えば“上部”、“底部”、“水平”、“垂直”、“側方”、“真下”、“下方”、“下側”、“上方”、“上側”等は、本明細書においては、図示されている１つの要素または特徴と他の要素または特徴の関係を記載するために、説明を容易にするために用いられる。これらの空間的に相対的な用語は、図示されている向きに加えて、使用中または動作中の装置の異なる向きを包含することが意図されることが理解されよう。例えば、図面中の装置の上下がひっくり返された場合には、他の要素または特徴の“下方”または“真下”にあると記載されている要素は、他の要素または特徴の“上方”に向けられる。従って、この例示的な“下方”という用語は、上方および下方の向きの両方を包含し得る。装置は、別様で（９０度または他の向きに回転されて）配向され得るものであり、本明細書で用いられる空間的に相対的な記載は、それに従って解釈される。
【００２２】
“含む（include）”または類似の用語は、包含するがそれに限定されないこと、即ち、包含的であって排他的ではないことを意味する。
【００２３】
本開示の実施形態を説明する際に用いられる“約（about）”（例えば、組成物中の或る成分の量、濃度、体積、処理温度、処理時間、収量、流量、圧力、粘度等の値、およびそれらの範囲を修飾する）は、例えば、材料、組成物、複合材料、濃縮物、もしくは使用処方を調製するために用いられる一般的な測定および処理手順、これらの手順における故意ではない誤り、方法を実行するために用いられる開始材料または成分の製造、供給源、または純度の違い等の考慮すべき事項によって生じ得る数量のばらつきを指す。また、“約”という用語は、特定の初期濃度または混合物を有する組成物または処方の熟成に起因して異なる量、および、特定の初期濃度または混合物を有する組成物または処方の混合または処理に起因して異なる量を包含するものである。
【００２４】
本明細書で用いられる名詞は、特に明記しない限り、少なくとも１つ、または１以上の対象を指す。
【００２５】
当業者に周知の略語（例えば、時間に対して“ｈ”または“ｈｒ”、グラムに対して“ｇ”または“ｇｍ”、ミリリットルに対して“ｍＬ”、室温に対して“ｒｔ”、ナノメートルに対して“ｎｍ”等の略語）が用いられ得る。
【００２６】
構成要素、成分、添加剤、時間、温度、圧力等の態様、およびそれらの範囲について開示される具体的な値および好ましい値は、単に例示的なものであり、定められた他の値または定められた範囲内の他の値を除外するものではない。本開示の装置および方法は、本明細書に記載される任意の値またはそれらの値の任意の組み合わせ、具体的な値、より具体的な値、および好ましい値を含み得る。
【００２７】
基体およびフィルタ物品は、環境的な規制を満たす処理後の排出制御のために、ガソリンおよびディーゼルの軽量自動車および大型車内で用いられる。これらの基体およびフィルタの製造における工程の１つは、基体およびフィルタの軸方向の外周面にセメントベースの外皮または外壁を塗布することである。
【００２８】
例えばセラミックフィルタ物品等の部品上の外皮は、部品とその周囲環境との間の界面である。外皮は、幾つかの有利な機能を果たす。例えば、外皮は部品の美的外観を高め、品質を示すものとして顧客から評価れ、製造中および使用中（例えば部品の取り扱い中および輸送中等）に、部品の機能的なフィルタ部分を、例えば欠け等の構造的な劣化、および部品の周囲の他の危険から保護し、最新の部品の重要な性能の尺度である部品の静圧強度を高める。
【００２９】
基体およびフィルタについては、外皮は、仕上げ処理中に塗布可能である。従来の外皮塗布プロセスは、労働集約的であり、材料利用率は約３０〜５０％と比較的低く、これは部品の動作および製造コストを増加させ得る。
【００３０】
上述の共通の所有者および譲受人を有する同時係属の米国特許出願第１３／４６３，１２５号明細書においては、自動化されたロボットによる軸方向外皮塗布装置および方法が開示されている。外皮を塗布される部品は、必要に応じて、まず成形され、または形状を整えられて、部品よりも僅かに大きい直径を有する管（ユニパイプ）または外皮塗布チャンバに挿入される。部品と管との間の環状の空洞（即ちアニュラス）に流動性外皮用セメントが充填され、次に、相対移動によって、部品が外皮塗布チャンバを通って軸方向に“押される”または付勢される。部品が外皮塗布チャンバの他端部から現れた際には、部品はその表面に均一な量のセメント（外皮）を有する。次に湿った外皮を乾燥させて、機能的な外皮を得ることができる。
【００３１】
図１は、本開示の例示的な実施形態による軸方向外皮塗布装置の模式図を示す。図１中、周方向は矢印“Ｃ”によって示されており、半径方向は矢印“ｒ”によって示されており、軸方向は矢印“Ａ”によって示されている。これらの方向は、要素の形状に関わらず、様々な要素と要素間の関係とを記述するために用いられ得る。軸方向外皮塗布装置１００は、動力源１０２、１０４と、ユニパイプ１０６と、マニホールド１０８とを含み得る。動力源１０２、１０４は、部品と外皮塗布装置との間の相対移動を提供し得るものであり、外皮を塗布される部品１１０をユニパイプ１０６に通して軸方向に移動させるための機械式、油圧式、ロボット式、手動式等のものであり得る。ユニパイプ１０６は、部品１１０の外周を周方向に囲む側壁１１２と、外皮を塗布される部品１１０を受容する開口部１１４とを含む。側壁１１２の内面は、外皮塗布装置を通る部品１１０を案内し得ると共に、部品１１０の外周に所定の付着圧力で流動性セメントを供給し得る。ユニパイプ１０６は、セメントが均一に配置された部品１１０がユニパイプ１０６から出る部分であるテールパイプ１１６を有する。部品１１０の一部がまだ流動性セメントで軸方向にコーティング中に、部品１１０の均一な外皮１１８を担持した別の一部がテールパイプ１１６から出てもよい。
【００３２】
図示されている外皮を塗布される部品１１０は、円形または楕円形の断面を有する、即ち、円筒形状であるが、本開示はそのようには限定されない。外皮を塗布される部品１１０は、他の断面形状を有してもよく、ユニパイプ１０６は、部品１１０と同じ断面形状であるが、部品１１０の外周とユニパイプ１０６の内面との間に外皮１１８を均一に収容するための、より大きな断面積を有してもよい。
【００３３】
マニホールド１０８は、所定の圧力でセメントを受容する入口１２０を含む。セメントは、ユニパイプ１０６の内部に流れ込み、部品１１０の外周に均一に接触する。図１に示されるように、外皮を塗布される部品１１０は、上部からユニパイプ１０６に入り、外皮１１８を有してユニパイプ１０６の底部から出るが、本開示はそのようには限定されない。即ち、別の例示的な実施形態では、外皮を塗布される部品１１０は、下方からユニパイプ１０６に入って、外皮１１８を有してユニパイプ１０６の上部から出ることもあり得る。
【００３４】
図２Ａおよび図２Ｂは、上記の例示的な実施形態による外皮塗布装置１００の模式的な断面図を示す。所定の圧力設定点に維持された圧力タンク１２６から供給パイプ１２４を通ってマニホールド１０８内に外皮用セメント１２２が供給される。外皮用セメント１２２は、入口１２０においてマニホールドに入る。入口１２０は、マニホールド１０８の適応的パイプ１２８への入口であり得る。或いは、マニホールドの入口１２０は、適応的パイプの入口１３０とは離間していていもよい。適応的パイプ１２８は、周方向“Ｃ”に湾曲していてもよい。湾曲した適応的パイプ１２８は、図２Ｃに示されるように、直線部分１３２および湾曲部１３４を有するパイプ、チャネル、管等を含み得る。直線部分１３２は、幾分緩やかな量の周方向の曲率を有してもよく、湾曲部１３４は、例えば１５°〜９０°のエルボ部等の様々なより顕著な曲率を有してもよい。更なる説明で明らかとなるように、適応的パイプの１２８周方向の形状は、外皮を塗布される部品１１０の形状に依存する。例えば、外皮を塗布される部品が円形の断面を有する場合には、適応的パイプ１２８は、２つの入口１３０を有する楕円形（図２Ｂ）または１つのみの入口１３０を有するオフセットした円形（図２Ｄ）に延びていてもよく、外皮を塗布される部品が正方形状の断面を有する場合には、適応的パイプ１２８は、２つの入口１３０を有する長方形状の周方向の経路（図２Ｃ）に延びていてもよい。
【００３５】
適応的パイプ１２８は、内側の側壁に沿った適応的開口部１３６を含む。内側の側壁は、適応的パイプ１３６の内側湾曲部に沿ったものであり得る。適応的開口部１３６は、外皮を塗布される部品１１０に面した適応的パイプ１２８の内側の側壁の全長にわたって延びるスロットまたは開口部であり得る。適応的パイプ１２８および適応的開口部１３６は、供給パイプ１２４からのセメント１２２の流れを、外皮を塗布される部品１１０の周囲に適応させる。外皮用セメント１２２は、入口１３０において適応的パイプ１２８に入り、適応的パイプ１２８を通って周方向に流れる。同時に、外皮用セメント１２２は、適応的パイプ開口部１３６を通って、矢印“ｒ”で示される負の方向に半径方向に流れる。
【００３６】
マニホールド１０８は、適応的パイプ１２８の内側に周方向に配置された陸部１３８を含む。詳細は後述するが、陸部１３８は、適応的パイプの開口部１３６からユニパイプ１０６の内部へと外皮用セメント１２２を移送する陸部チャネル１４０を含む。図２Ａ、図２Ｂ、図２Ｃ、および図２Ｄに示されるように、陸部１３８の長さは、適応的パイプ入口１３０付近の最大長さから、適応的パイプ入口１３０とは最も遠い最小長さまで変化し得る。陸部チャネル１４０は、部品１１０の外周面上に外皮用セメント１２２を一定の速度で放出するための陸部開口部１４２を含み得る。
【００３７】
外皮を塗布される部品１１０をユニパイプ１０６に通して押すために、プラテン１０２を用いることができ、プッシャー１０２は、電気、油圧、手動等によって作動され得る。外皮１１８を有する部品１１０を受け取って外皮を塗布された部品を移送するためにプラテン１０４が用いられ得る。先に述べたように、別の例示的な実施形態では、プラテン１０４を、部品１１０をユニパイプ１０６に通して押すためのプッシャーとして用いることができると共に、プラテン１０２を、外皮１１８を有する部品１１０を受け取って外皮を塗布された部品を移送するために用いることができる。マニホールド１０８は、外皮を塗布中の捕らえられている部品１１０の外面に対して均一な流頭を確実にするために、ユニパイプを一時的に保持して、外皮用セメントをユニパイプ内部にわたって均一に配分し得る。図２Ａは、（図２Ｂのａ−ａにおける）垂直立面断面図であり、図２Ｂは、（図２Ａのｂ−ｂにおける）水平断面図である。
【００３８】
図３は、比較例による全体的に不均一な外皮厚さを示す。軸方向外皮塗布においては、外皮を塗布される部品１１０の外周面に対するセメント１２２の送出は、方位角方向（周方向）において均一とすべきである。マニホールド設計が適切に最適化されていない場合には、基体外周面に対する外皮用セメント１２２の全体的に不均一な供給を生じる場合があり、これは不均一な外皮厚さを生じる。セメント１２２が、２つのマニホールド入口１３０を通して供給される場合には、最適化されていない設計（比較例）では、（第１の入口１３０に近接した）０°および（第２の入口１３０に近接した）１８０°に沿ってはより多くの材料（セメント１２２）、それに従ってより厚い外皮１１８が配置され、入口１３０から離れた９０°および２７０°に沿ってはより薄い外皮１１８配置される。図３に模式的に示されている比較例が示した外周面の周囲における９０°から０°までの外皮厚さは、ｃ＜ｄ＜ｅ＜ｆ＜ｇであった。例えば、ｃは１ｍｍであり得、ｄは１．２ｍｍであり得、ｅは１．３ｍｍであり得、ｆは１．５ｍｍであり得、ｇは１．６ｍｍであり得る。このような全体的に不均一な外皮厚さでは、乾燥によるクラックおよび不均一な応力が生じて、使用中の早期故障が生じる、および／または、パッケージング時に追加の処理工程が必要になる場合がある。
【００３９】
図４Ａおよび図４Ｂは、本開示の例示的な実施形態による、周方向に湾曲した適応的パイプ１２８、陸部チャネル１４０、陸部チャンバ１４４、および、基体外周面１１０に外皮用セメント１２２を接触させるためのユニパイプ貫通孔１４６におけるセメントの流れを示す。適応的パイプ１２８への入口１３０は、適応的パイプの立面図では上方に示されているが、入口１３０は、例示的な実施形態から逸脱することなく、立面図において下方から、または半径方向からのものであってもよい。適応的パイプ１２８の断面は、丸みのついた角部を有する長方形として示されているが、断面は、例示的な実施形態から逸脱することなく、様々な形状であり得る。適応的パイプ１２８は、内側の側壁に沿った適応的開口部１３６を含む。陸部１３８は、適応的パイプ１２８から周方向内側に向かって配置されている。外皮用セメント１２２は、適応的パイプ１２８を通って周方向に流れ、適応的パイプ開口部１３６を通って負の半径方向“ｒ”に陸部チャネル１４０内へと流れる。陸部チャネル１４０は、軸方向の厚さ“Ｔ”および半径方向の長さ“ｌ”を有する。入口１３０に近接した位置１４８から、入口１３０から離れた位置１５０までの厚さ“Ｔ”および／または長さ“ｌ”を制御することにより、陸部チャネル１４０から放出された外皮用セメント１２２は、陸部開口部１４２全体に沿って同じ流速を有して部品１１０の外周面に接触し、外周面上に均一な外皮１１８を付着させることができる。陸部開口部１４２は、外皮用セメント１２２が部品１１０の外周面に接触して均一な外皮１１８を外周面上に付着させる前に、陸部チャンバ１４４内へと、そして貫通孔１４６を介してユニパイプ１０６の内部へと、外皮用セメント１２２を放出し得る。
【００４０】
部品１１０は、陸部開口部１４２を越えて軸方向に移動して、所定の圧力で外周面に付着される外皮用セメント１２２を受け取ることができる。陸部開口部１４２において均一な速度で放出されるので、外皮１１８は方位角方向において均一になることができる。同様に、部品１１０とマニホールド１０８との間の相対的な軸方向速度が一定であるので、外皮１１８は軸方向において均一になることができる。
【００４１】
図５は、本開示の例示的な実施形態による外皮塗布装置の、軸方向外皮塗布マニホールドおよびユニパイプの上から見た斜視図を示す。ユニパイプ１０６は、側壁１１２、開口部１１４、および、外皮用セメント１２２をユニパイプの内部へと受け入れるための貫通孔１４６を含む。ユニパイプ１０６の内面１５２は、外皮用セメント１２２を受容して、外皮用セメント１２２を、ユニパイプ１０６内の外皮を塗布される部品１１０の外周面に押し付ける。ユニパイプ１０６に接続されたマニホールド１０８は、適応的パイプ入口１３０を有する上部１５４と、上部１５４に接続された下部１５６とを含む。上部１５４および下部１５６は、機械加工されたもの、鋳造加工されたもの、鋳造板、別々にまたは一体に成型されたもの、別々にまたは一体に３Ｄプリントされたもの等であり得る。上部１５４および下部１５６は、一体であってもよく、または、更なる部分を含んでもよく、本明細書に記載される例示的な実施形態には限定されない。図６、図７、および図８を参照して、ユニパイプ１０６およびマニホールド１０８をより詳細に説明する。
【００４２】
図６は、図５の外皮塗布装置１００のユニパイプ１０６の上部１５４および軸方向外皮塗布マニホールド１０８の例示的な実施形態の下から見た斜視図を示す。ユニパイプ１０６は、テールパイプ１１６の出口に、部品１１０上の外皮１１８に滑らかな仕上げを付与するための仕上げエッジ１５８を有し得る。マニホールド上部１５４は、適応的パイプ１２８の上部と、適応的パイプ１２８の内周に沿った適応的パイプ開口部１３６における側壁１６０と、適応的開口部１３６からユニパイプ１０６の貫通孔１４６へと延びる陸部チャネル上面１６２とを含み得る。図６からわかるように、陸部チャネル上面１６２は、入口１３０に近接した位置、即ち部分１４８付近では、入口１３０から離れた位置、即ち部分１５０付近より大きな距離を延びている。陸部チャンバ１４４は、上部１５４によって画成される上面１６４を有し得る。上側部および下部１５４、１５６、並びにユニパイプ１０６を接続するために、固定具１６６、ガイドピン１６８、およびＯリング１７０、並びに、それらを受容するための開口部、溝、穴等が更に含まれ得る。
【００４３】
図７は、図５の外皮塗布装置の特徴の中でも特に、適応的開口部、陸部チャネル、陸部開口部、陸部チャンバ、ユニパイプ貫通孔、ユニパイプ貫通孔、およびユニパイプ内面を有する適応的パイプの例示的な実施形態のＶＩＩ−ＶＩＩ’線に沿った断面斜視図を示す。図７は、マニホールド１０８に接続されたユニパイプ１０６を示す。マニホールド１０８は、マニホールド１０８およびユニパイプ１０６を動力源１０２、１０４、供給パイプ１２４等に対して相対的に配置するための支持部材１７２を有し得る。マニホールド１０８の上部１５４および下部１５６は、適応的パイプ１２８、適応的パイプ入口１３０、陸部１３８、および、適応的パイプの１２８内周に配置された陸部チャンバ１４４を画成する。適応的パイプ１２８は、入口１３０を閉じるための栓１７４を更に含み得る。マニホールド１０８に接続されたユニパイプ１０６は、２列の等間隔の丸い貫通孔１４６を有するものとして図示されているが、本開示はそのようには限定されず、貫通孔は、外皮用セメント１２２を、外皮を塗布される部品１１０の外周面に対して均一に分配するための任意の形状および分布の開口部、オリフィス、スロット等であってもよい。
【００４４】
図８は、図５の外皮塗布装置の特徴の中でも特に、適応的開口部、陸部チャネル、陸部開口部、陸部チャンバ、ユニパイプ貫通孔、ユニパイプ貫通孔、およびユニパイプ内面を有する適応的パイプの例示的な実施形態の線ＶＩＩＩ−ＶＩＩＩ’に沿った断面斜視図を示す。本明細書に開示される例示的な実施形態によるマニホールド１０８の要素が、図８により詳細に示されている。適応的パイプ１２８は、内周にある適応的開口部１３６付近を除き、概ね円形の断面を有するものとして図示されている。図８に示されるように、適応的開口部１３６付近の適応的パイプ側壁１６０は、適応的開口部１３６に向かって先細になっていてもよい。陸部チャネル１４０は、適応的開口部１３６から陸部１３８の内周にある陸部開口部１４２まで延びる開口部またはスロットであり得る。陸部チャネル１４０は、上部１５４の陸部チャネル上面１６２と下部１５６の陸部チャネル下面１７６との間の間隙によって画成され得る。
【００４５】
図８に示されるように、陸部開口部１４２は陸部チャンバ１４４の中へと開いている。陸部チャンバ１４４は、上部１５４の陸部チャンバ上面１６４と下部１５６の陸部チャンバ下面１７８との間の間隙によって画成され得る。図示されるように、陸部チャンバ１４４は、ユニパイプ１０６の貫通孔１４６に向かって開いていてもよい。
【実施例】
【００４６】
図９は、１８０で示される式ｙ＝ｍｘ−（１−ｎ）を満たすせん断率に対する、外皮用セメントのレオロジー特性の粘度の依存性のグラフを示す。図９に示されるように、外皮用セメントの粘度は、せん断率の関数として、べき乗則１８０として表され得る。従って、応力とせん断率との関係は、式（１）に示されるように（円筒座標で）書くことができる。
【００４７】
【数１】
0006418460.tif 000002
【００４８】
式中、τｒｚはせん断応力であり、Ｖｚは、半径方向の位置（ｒ）の関数であるｚ方向における速度であり、ｍおよびｎは、それぞれ一貫性係数およびべき乗則指数として参照される２つのレオロジー定数である。それらの値は、実験データを近似することによって得られる。用いられた外皮用セメントについては、ｍ＝３５５．１５およびｎ＝０．２２８が得られた。ｎ＜１の値は、流体がせん断薄化していることを示す。マニホールドを設計するために提案されるこの方法は、任意のせん断薄化挙動懸濁流体に適用可能である。
【００４９】
図１０は、本開示の例示的な実施形態による外皮塗布装置の特徴の中でも特に、入口と適応的出口とを有する湾曲した適応的パイプ、および、厚さと長さと陸部出口とを有する陸部チャネルの断面斜視図を示す。処理中に軸方向外皮用セメント１２２を供給するための２つの入口ポート１３０があるものと仮定した、マニホールド１０８の四分の一形状が図１０に示されている。本明細書においては、流れの式はデカルト座標に基づいて説明され、ｘ方向はマニホールド出口陸部開口部１４２の周に沿った方向であり、０から“Ｌ”まで変化する。以下の術語を用いる。“Ｒ”は、この例では円形の適応的部分を仮定した適応的パイプの断面の半径であり、“ｍ”および“ｎ”はべき乗則パラメータであり、“Ｌ”はマニホールド出口の周の長さであり、“２Ｂ”はマニホールド陸部チャネル１４０の厚さ“Ｔ”であり、“ｌ（ｘ）”はマニホールド陸部チャネル１４０の長さであってｘと共に変化し得るものであり、“ｌ（０）”はセメント入口１３０付近のマニホールド陸部チャネル１４０の長さである。
【００５０】
陸部１３８の長さの最適化された寸法を得るために、解析的且つ計算的な流体力学（ＣＦＤ）モデルを開発した。圧力低下ΔＰの条件下における、距離“Ｌ”を通る、べき乗則流体についての、半径“Ｒ”の円形のパイプを通る流量“Ｑｃ”は、式（２）によって与えられる。
【００５１】
【数２】
0006418460.tif 000003
【００５２】
圧力低下ΔＰの条件下における、距離“ｌ”を通る、べき乗則流体についての、厚さ“２Ｂ”および幅“Ｗ”のスロットまたは陸部チャネル１４０部分を通る流量“Ｑｓ”は、式（３）によって与えられる。
【００５３】
【数３】
0006418460.tif 000004
【００５４】
式（２）および式（３）を共に解くことにより、特定のセットのマニホールド寸法および材料データについてのマニホールド１０８の出口における速度が与えられる。或いは、これらの式を共に解くことにより、出口において均一な流れをもたらすことができる最適なマニホールド寸法が与えられる。非円形の断面についての圧力低下に対する流量の式を得るために、ＣＦＤモデルを開発する。類似の方法を用いて、マニホールドの出口における速度、または最適なマニホールド寸法を決定することができる。
【００５５】
図１１は、本開示の比較例による外皮塗布装置の１００の特徴の中でも特に、入口１３０と適応的出口１３６とを有する湾曲した適応的パイプ１２８、および、厚さ、長さ、および陸部出口１４２を有する陸部チャネル１４０の断面斜視図を示す。図１１の陸部チャネル１４０は均一な長さを有する。２つの入口ポート１３０および均一な陸部長さを有するマニホールド１０８の四分の一形状が図１１に示されている。適応的パイプ１２８内には、入口１３０から反対側の端部１５０までの圧力低下があり、反対側の端部１５０では、他方の入口（図示せず）から流入した外皮用セメント１２２が、図示されている入口１３０からの外皮用セメント１２２の流れと合流する。この圧力低下により、入口１３０から適応的パイプ１２８に沿って離れた位置では、外皮用セメント１２２が陸部チャネル１４０を通して押される圧力が減少し、入口側１４８付近ではより高い外皮用セメント流量が生じ、入口から反対側の端部１５０に向かっては連続的に減少する流量が生じる。図１２は、均一なマニホールド陸部長さおよび厚さを有する図１１の比較例のマニホールド１０８の陸部出口１４２における不均一な外皮用セメント速度分布のグラフを示す。図１２は、‘０’を入口側１４８とし、‘１’を反対側１５０として正規化された距離のプロットに対する、均一な陸部長さを有するマニホールド（１４２）の出口における結果の速度分布を示す。破線は陸部１３８の長さを示し、実線は陸部開口部１４２における外皮用セメント速度を示す。
【００５６】
式（２）および式（３）を共に解くと、本開示の例示的な実施形態による、マニホールド出口において均一な流れをもたらすことができる最適な不均一な陸部長さ寸法を得ることができる。上述の術語を用いて、円形の適応的部分についての不均一な陸部長さは式（４）で与えられる。
【００５７】
【数４】
0006418460.tif 000005
【００５８】
図１０に戻ると、本開示の例示的な実施形態による、２つの入口ポート１３０および不均一な陸部１３８長さを有するマニホールド１０８の四分の一形状が示されている。比較例と同様に、適応的パイプ１２８内には、入口１３０から反対側１５０までの圧力低下があり、反対側１５０では、次の入口（図示せず）から流入する外皮用セメント１２２が合流する。この圧力低下により、入口からの距離が増加するほど、外皮用セメント１２２を陸部チャネル１４０を通して押す圧力が減少する。この適応的部分１２８における圧力低下を補償するために、外皮用セメント１２２が陸部開口部１４２から均一な流量で流出するように、入口１３０から離れるにつれて陸部１３８の長さを減少させることができる。図１３は、本開示の例示的な実施形態による、陸部出口１４２における均一な外皮用セメント速度分布を生じる不均一なマニホールド陸部長さのグラフを示す。破線は陸部１３８長さを表し、実線は陸部開口部１４２における外皮用セメント速度を表す。最適化された陸部長さを有するマニホールドの出口における結果の速度分布が、図１３の正規化された距離のプロットに示されており、‘０’は入口側１４８に対応し、‘１’は他方の側１５０に対応する。
【００５９】
次に、流量、材料組成、および陸部厚さを変化させたマニホールド１０８の性能について説明する。図１４は、本開示の例示的な実施形態による、材料組成べき乗則パラメータ“ｎ”に基づく、陸部出口１４２における外皮用セメント速度分布を生じる不均一なマニホールド陸部長さ１３８のグラフを示す。図１４において、（×）はｎ＝０．２２８を表し、（■）はｎ＝０．１を表し、（○）はｎ＝０．２を表し、（△）はｎ＝０．３を表し、（□）はｎ＝０．４を表し、（◇）はｎ＝０．５を表す。
【００６０】
マニホールド性能は、全体的なセメント流量からは独立しており、このことは、上記の不均一な陸部長さの式（４）の計算に流量が現れないという事実からわかる。マニホールドの性能は、べき乗則パラメータ“ｍ”からも独立しているが、パラメータ“ｎ”には依存する。最初にｎ＝０．２８のべき乗則パラメータ値について設計されたマニホールドについての、べき乗則パラメータ‘ｎ’を０．１から０．５まで変化させたことによる、マニホールドの出口における速度分布の変化が、図１４からわかる。図１５は、本開示の例示的な実施形態による、陸部チャネル厚さ“２Ｂ”に基づく、陸部出口における外皮用セメント速度分布を生じる不均一なマニホールド陸部長さのグラフを示す。陸部厚さ“２Ｂ”を０．７５ｍｍから２．５ｍｍまで変化させたことによる、マニホールド出口における速度分布の変化が、図１５に示されている。図１５において、（■）は２Ｂ＝０．７５ｍｍを表し、（□）は２Ｂ＝１ｍｍを表し、（△）は２Ｂ＝１．２５ｍｍを表し、（×）は２Ｂ＝１．５２４ｍｍを表し、（○）は２Ｂ＝１．７５ｍｍを表し、（◆）は２Ｂ＝２ｍｍを表し、（■）は２Ｂ＝２．５ｍｍを表す。調節可能なねじを有することによって、または陸部領域にシムを追加することによって、装置上で陸部チャネル厚さ“２Ｂ”を変化させることを可能にすることにより、外皮用セメント材料の組成を変えた際に出口１４２におけるセメントの流れの均一性を改善するために、陸部チャネル厚さ“２Ｂ”を調節することができる。
【００６１】
材料組成の変化によって生じる不均一性の量は、適応的領域（適応的パイプ１２８）の断面積（例えば、半径）に依存する。感度は、適応的領域の断面積が大きいほど高く、断面積の減少と共に減少する。感度は、約２５ｍｍの半径より下では横這いに達するようで、一定のままになる。図１６は、本開示の例示的な実施形態による、外皮用セメント組成に基づいて適応的部分の半径を変化させた、外皮用セメントの流れの均一性の感度を生じる不均一なマニホールド陸部長さのグラフを示す。図１６中、べき乗則パラメータ“ｎ”をｘ軸に示し、流れの不均一性（マニホールド出口における最大速度から最小速度を減算した値）をｙ軸に示す。最初にｎ＝０．２２８について設計されたマニホールドを有するマニホールドの適応的部分のそれぞれ異なる半径についての、“ｎ”の値を０．１から０．５まで変化させたことによる、マニホールド出口１４２における流れ均一性の変化が示されている。図１６において、（◇）はＲ＝１２ｍｍを表し、（□）はＲ＝１８ｍｍを表し、（△）はＲ＝２１ｍｍを表し、（×）はＲ＝２５ｍｍを表し、（○）はＲ＝２９ｍｍを表す。
【００６２】
図１７は、本開示の例示的な実施形態による適応的パイプの模式的な断面形状を示す。本開示の例示的な実施形態から逸脱することなく、陸部チャネルの長さおよび厚さの最適なサイズを決定するための上述の方法論を用いて、適応的部分（適応的パイプ１２８）の別の設計も行われ得る。例えば、本発明を限定するものではないが、図１７に示されるように、円形の適応的部分（ａ）を、例えば、（ｂ）半円形の形状、（ｃ）長方形の形状、（ｄ）楕円形の形状、（ｅ）陸部チャネルに対する接線を有する上記の形状等の別の設計と置き換えてもよく、または、適応的領域自体が方位角方向において不均一な断面を有してもよい。均一な円形の形状についての代表的なサンプルが示されている。
【００６３】
従って、本開示の例示的な実施形態は、セメントが基体の周に沿って半径方向に均一にもたらされて基体上に全体的に均一な外皮厚さを生じる軸方向外皮塗布プロセスのための、パイプから基体の外周面まで基体の周に沿って外皮用セメントを再配分するためのマニホールドを有する外皮塗布装置を提供する。
【００６４】
上記の外皮塗布装置の例示的な実施形態は、例えば、セメント材料組成の変更の際の陸部チャネルの厚さの調節を提供し、これにより、セメントを再配分して出口における流れの均一性を変えて、部品（基体）上の外皮の均一性を改善することができる。
【００６５】
上記の外皮塗布装置の例示的な実施形態は、デッドゾーンが低減され、容易にクリーニング可能な構成を有する、複雑でないマニホールドを提供する。上記の外皮塗布装置の例示的な実施形態は、乾燥によるクラックを低減し、外皮の不均一性による応力を低減し、外皮を塗布された部品の使用中の外皮不均一性による早期故障を低減し、パッケージング処理工程を低減可能な、部品に外皮を塗布するためのプロセスを提供する。
【００６６】
本明細書全体を通した例示的な実施形態の参照、および本明細書を通した類似の文言は、同じ実施形態を参照し得るが、必ずしそうではない。更に、本明細書に記載された主題の、或る例示的な実施形態を参照して記載された特徴、構造、または特性は、１以上の例示的な実施形態において任意の適切な方法で組み合わされ得る。記載においては、本主題の実施形態の完全な理解を提供するために、例えば、材料、コーティング、チャネルおよびフィルタ形状等の例等の多くの具体的な詳細を提供している。しかし、１以上の具体的な詳細を用いずに、または、他の方法、構成要素、材料等を用いて、本主題が実施され得ることが当業者には認識されよう。別の例では、本開示の主題の態様を不明瞭にしないために、周知の構造、材料、または動作は図示されておらず、または、詳細に説明されていない。
【００６７】
上述の方法は、論理的な流れとして概要を述べたものである。従って、示されている順序およびラベル付けされている工程は、代表的な実施形態を示すものである。模式図に示されている方法の１以上の工程またはその一部と同等の機能、論理、または効果を有する他の工程および方法も考えられ得る。更に、用いられた形式および符号は、模式図の論理的な工程を説明するために提供されたものであり、図面によって示されている方法の範囲を限定するものではないと理解される。更に、特定の方法が行われる順序は、示されている対応する工程の順序に厳密に従ってもよく、または従わなくてもよい。
【００６８】
本開示の趣旨および範囲から逸脱することなく、示されている例示的な実施形態において様々な変形および変更がなされ得ることは、当業者には自明である。従って、本開示は、そのような変形および変更が添付の特許請求の範囲およびそれらの等価物に含まれる限り、そのような変形および変更を網羅することが意図される。
【図１】
0006418460.tif 000006
【図２Ａ】
0006418460.tif 000007
【図２Ｂ】
0006418460.tif 000008
【図２Ｃ】
0006418460.tif 000009
【図２Ｄ】
0006418460.tif 000010
【図３】
0006418460.tif 000011
【図４Ａ】
0006418460.tif 000012
【図４Ｂ】
0006418460.tif 000013
【図５】
0006418460.tif 000014
【図６】
0006418460.tif 000015
【図７】
0006418460.tif 000016
【図８】
0006418460.tif 000017
【図９】
0006418460.tif 000018
【図１０】
0006418460.tif 000019
【図１１】
0006418460.tif 000020
【図１２】
0006418460.tif 000021
【図１３】
0006418460.tif 000022
【図１４】
0006418460.tif 000023
【図１５】
0006418460.tif 000024
【図１６】
0006418460.tif 000025
【図１７（ａ）】
0006418460.tif 000026
【図１７（ｂ）】
0006418460.tif 000027
【図１７（ｃ）】
0006418460.tif 000028
【図１７（ｄ）】
0006418460.tif 000029
【図１７（ｅ）】
0006418460.tif 000030